【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
顕微鏡と、該顕微鏡と別体に設けられた観察ユニットと、を備えた顕微鏡システムであって、
前記顕微鏡は、顕微鏡対物レンズと、該顕微鏡対物レンズを介して形成された像位置に配置された撮像素子と、該撮像素子に接続された第１制御装置と、を有し、
前記観察ユニットは、第２制御装置と、該第２制御装置に接続された表示素子と、該表示素子から所定の間隔をおいて配置されたルーペ光学系と、を有し、
更に、前記第１制御装置と前記第２制御装置との間で通信を行なう通信手段を備え、
前記撮像素子で取得した画像を前記表示素子に表示し、
以下の条件式（１Ａ）、（２）を満足することを特徴とする顕微鏡システム。
０．９×βoc＜（Ｌd／Ｌi）×（２５０／ｆl）＜１．１×βoc      （１Ａ)
２０°＜ｔａｎ-1（Ｌd／（２×ｆl））＜３５°      （２）
ここで、
βocは光学像を観察する際の接眼レンズの倍率、
Ｌdは前記表示素子の表示範囲の対角長、
Ｌiは前記撮像素子の撮像範囲の対角長、
ｆlは前記ルーペ光学系の焦点距離、
である。
【請求項２】
顕微鏡と、該顕微鏡と別体に設けられた観察ユニットと、を備えた顕微鏡システムであって、
前記顕微鏡は、顕微鏡対物レンズと、該顕微鏡対物レンズを介して形成された像位置に配置された撮像素子と、該撮像素子に接続された第１制御装置と、を有し、
前記観察ユニットは、第２制御装置と、該第２制御装置に接続された表示素子と、該表示素子から所定の間隔をおいて配置されたルーペ光学系と、を有し、
更に、前記第１制御装置と前記第２制御装置との間で通信を行なう通信手段を備え、
前記撮像素子で取得した画像を前記表示素子に表示し、
前記顕微鏡対物レンズから前記撮像素子までの間に、中間結像レンズを有し、
以下の条件式（１Ｂ）、（２）を満足することを特徴とする顕微鏡システム。
０．９×βoc＜ｑ×（Ｌd／Ｌi）×（２５０／ｆl）＜１．１×βoc      （１Ｂ）
２０°＜ｔａｎ-1（Ｌd／（２×ｆl））＜３５°      （２）
ここで、
βocは光学像を観察する際の接眼レンズの倍率、
ｑは前記中間結像レンズの倍率、
Ｌdは前記表示素子の表示範囲の対角長、
Ｌiは前記撮像素子の撮像範囲の対角長、
ｆlは前記ルーペ光学系の焦点距離、
である。
【請求項３】
以下の条件式（３）を満足することを特徴とする請求項１または２に記載の顕微鏡システム。
８≦βoc≦３０      （３）
ここで、
βocは光学像を観察する際の接眼レンズの倍率、
である。
【請求項４】
前記観察ユニットは、前記表示素子とは別の表示素子と、前記ルーペ光学系とは別のルーペ光学系と、を更に有し、
前記表示素子と、前記ルーペ光学系と、が第１の光路に配置され、
前記別の表示素子と、前記別のルーペ光学系と、が第２の光路に配置され、
前記ルーペ光学系と、前記別のルーペ光学系とが、並んで配置されていることを特徴とする請求項１から３のいずれか１項に記載の顕微鏡システム。
【請求項５】
以下の条件式（４）を満足することを特徴とする請求項１から４のいずれか１項に記載の顕微鏡システム。
１２ｍｍ＜ｆl≦５０ｍｍ      (４)
ここで、
ｆlは前記ルーペ光学系の焦点距離、
である。
【請求項６】
前記観察ユニットは、反射部材を有し、
前記反射部材は、前記表示素子からの光を、前記ルーペ光学系に向けて反射する位置に配置されていることを特徴とする請求項１から３のいずれか１項に記載の顕微鏡システム。
【請求項７】
前記観察ユニットは、前記表示素子とは別の表示素子と、前記ルーペ光学系とは別のルーペ光学系と、前記反射部材とは別の反射部材と、を更に有し、
前記別の反射部材は、前記別の表示素子からの光を、前記別のルーペ光学系に向けて反射する位置に配置されていることを特徴とする請求項６に記載の顕微鏡システム。
【請求項８】
以下の条件式（５）を満足することを特徴とする請求項１から３、６、７のいずれか１項に記載の顕微鏡システム。
５０ｍｍ＜ｆl＜１５０ｍｍ      (５)
ここで、
ｆlは前記ルーペ光学系の焦点距離、
である。
【請求項９】
前記観察ユニットは、前記ルーペ光学系とは別のルーペ光学系を更に有し、
前記表示素子に対向する位置に、前記ルーペ光学系と、前記別のルーペ光学系とが、並んで配置されていることを特徴とする請求項１から３のいずれか１項に記載の顕微鏡システム。
【請求項１０】
以下の条件式（６）を満足することを特徴とする請求項１から３、９のいずれか１項に記載の顕微鏡システム。
１００ｍｍ＜ｆl＜３００ｍｍ      （６）
ここで、
ｆlは前記ルーペ光学系の焦点距離、
である。
【請求項１１】
前記観察ユニットは、前記表示素子を着脱可能な着脱部を有することを特徴とする請求項１から３、９、１０のいずれか１項に記載の顕微鏡システム。
【請求項１２】
前記表示素子は、携帯型の情報端末装置であることを特徴とする請求項１１に記載の顕微鏡システム。
【請求項１３】
前記ルーペ光学系と、前記別のルーペ光学系との間隔を変化させる調節機構を有することを特徴とする請求項１から１２のいずれか１項に記載の顕微鏡システム。
【請求項１４】
前記ルーペ光学系を、その光軸方向に沿って移動させる移動機構を有することを特徴とする請求項１から１３のいずれか１項に記載の顕微鏡システム。
【請求項１５】
前記観察ユニットの仰角を変化させる調節機構を有することを特徴とする請求項１から１４のいずれか１項に記載の顕微鏡システム。
【請求項１６】
前記観察ユニットを、水平方向または垂直方向に移動させる移動機構を有することを特徴とする請求項１から１５のいずれか１項に記載の顕微鏡システム。
【請求項１７】
前記観察ユニットを複数有することを特徴とする請求項１から１６のいずれか１項に記載の顕微鏡システム。
【請求項１８】
入力された所定の画像を表示する表示素子と、
該表示素子から所定の間隔をおいて配置されたルーペ光学系と、を有し、
前記所定の画像が、顕微鏡対物レンズを介して形成された像を撮像素子で撮像した画像であって、
以下の条件式（１Ａ）と（１Ｂ）のいずれか一方と、条件式（２）を満足することを特徴とする観察ユニット。
０．９×βoc＜（Ｌd／Ｌi）×（２５０／ｆl）＜１．１×βoc      （１Ａ)
０．９×βoc＜ｑ×（Ｌd／Ｌi）×（２５０／ｆl）＜１．１×βoc      （１Ｂ）
２０°＜ｔａｎ-1（Ｌd／（２×ｆl））＜３５°      （２）
ここで、
βocは光学像を観察する際の接眼レンズの倍率、
ｑは中間結像レンズの倍率、
Ｌdは前記表示素子の表示範囲の対角長、
Ｌiは前記撮像素子の撮像範囲の対角長、
ｆlは前記ルーペ光学系の焦点距離、
である。
【手続補正２】
【補正対象書類名】明細書
【補正対象項目名】００１３
【補正方法】変更
【補正の内容】
【００１３】
上述した課題を解決し、目的を達成するために、本発明の顕微鏡システムは、
顕微鏡と、該顕微鏡と別体に設けられた観察ユニットと、を備えた顕微鏡システムであって、
顕微鏡は、顕微鏡対物レンズと、該顕微鏡対物レンズを介して形成された像位置に配置された撮像素子と、該撮像素子に接続された第１制御装置と、を有し、
観察ユニットは、第２制御装置と、該第２制御装置に接続された表示素子と、該表示素子から所定の間隔をおいて配置されたルーペ光学系と、を有し、
更に、第１制御装置と第２制御装置との間で通信を行なう通信手段を備え、
撮像素子で取得した画像を表示素子に表示し、
以下の条件式（１Ａ）、（２）を満足することを特徴とする。
０．９×βoc＜（Ｌd／Ｌi）×（２５０／ｆl）＜１．１×βoc      （１Ａ)
２０°＜ｔａｎ-1（Ｌd／（２×ｆl））＜３５°      （２）
ここで、
βocは光学像を観察する際の接眼レンズの倍率、
Ｌdは表示素子の表示範囲の対角長、
Ｌiは撮像素子の撮像範囲の対角長、
ｆlはルーペ光学系の焦点距離、
である。
また、本発明の別の顕微鏡システムは、
顕微鏡と、該顕微鏡と別体に設けられた観察ユニットと、を備えた顕微鏡システムであって、
顕微鏡は、顕微鏡対物レンズと、該顕微鏡対物レンズを介して形成された像位置に配置された撮像素子と、該撮像素子に接続された第１制御装置と、を有し、
観察ユニットは、第２制御装置と、該第２制御装置に接続された表示素子と、該表示素子から所定の間隔をおいて配置されたルーペ光学系と、を有し、
更に、第１制御装置と第２制御装置との間で通信を行なう通信手段を備え、
撮像素子で取得した画像を表示素子に表示し、
顕微鏡対物レンズから撮像素子までの間に、中間結像レンズを有し、
以下の条件式（１Ｂ）、（２）を満足することを特徴とする。
０．９×βoc＜ｑ×（Ｌd／Ｌi）×（２５０／ｆl）＜１．１×βoc      （１Ｂ）
２０°＜ｔａｎ-1（Ｌd／（２×ｆl））＜３５°      （２）
ここで、
βocは光学像を観察する際の接眼レンズの倍率、
ｑは中間結像レンズの倍率、
Ｌdは表示素子の表示範囲の対角長、
Ｌiは撮像素子の撮像範囲の対角長、
ｆlはルーペ光学系の焦点距離、
である。
また、本発明の観察ユニットは、入力された所定の画像を表示する表示素子と、表示素子から所定の間隔をおいて配置されたルーペ光学系と、を有し、
所定の画像が、顕微鏡対物レンズを介して形成された像を撮像素子で撮像した画像であって、
以下の条件式（１Ａ）と（１Ｂ）のいずれか一方と、条件式（２）を満足することを特徴とする。
０．９×βoc＜（Ｌd／Ｌi）×（２５０／ｆl）＜１．１×βoc      （１Ａ)
０．９×βoc＜ｑ×（Ｌd／Ｌi）×（２５０／ｆl）＜１．１×βoc      （１Ｂ）
２０°＜ｔａｎ-1（Ｌd／（２×ｆl））＜３５°      （２）
ここで、
βocは光学像を観察する際の接眼レンズの倍率、
ｑは中間結像レンズの倍率、
Ｌdは表示素子の表示範囲の対角長、
Ｌiは撮像素子の撮像範囲の対角長、
ｆlはルーペ光学系の焦点距離、
である。